(57)【要約】【課題】  鍼管または鍼柄を施術時に分割可能にすることで、鍼灸の施術者の指が鍼体に触れないようにする鍼灸鍼セット（鍼管および鍼灸鍼）を提供する。【解決手段】  鍼管１は、鍼灸の施術において鍼灸鍼２が挿入される鍼管であって、第１本体部分１Ａと、第１本体部分１Ａに接続される第２本体部分１Ｂと、第１と第２本体部分１Ａ，１Ｂ間に切り込み部１Ｃとを備える。これにより、鍼灸の施術時に鍼管１の軸方向長さが変更可能となる。【選択図】        図１
2005261810.tif 000002
【特許請求の範囲】
【請求項１】
鍼灸の施術において鍼灸鍼が挿入される鍼管であって、
第１本体部分と、
前記第１本体部分に接続される第２本体部分と、
前記第１と第２本体部分を施術時に長さ方向に分割可能に接続する接続部とを備えた鍼管。
【請求項２】
鍼灸の施術において鍼灸鍼が挿入される鍼管であって、
軸方向長さを変更可能な本体部分を備えたことを特徴とする鍼管。
【請求項３】
鍼灸の施術に用いる鍼灸鍼であって、
鍼体と、
前記鍼体の一端に設けられた鍼柄とを備え、
前記鍼柄は、第１本体部分と、該第１本体部分に接続される第２本体部分と、前記第１と第２本体部分を施術時に長さ方向に分割可能に接続する接続部とを有する鍼灸鍼。
【請求項４】
鍼灸の施術に用いる鍼灸鍼であって、
鍼体と、
前記鍼体の一端に設けられた鍼柄とを備え、
前記鍼柄の軸方向長さを可変としたことを特徴とする鍼灸鍼。
【請求項５】
鍼灸の施術に用いる鍼灸鍼と鍼管とを有する鍼灸鍼セットであって、
前記鍼灸鍼は、鍼体と前記鍼体の一端に設けられた鍼柄とを有し、
前記鍼管と前記鍼柄との少なくとも一方の軸方向長さを可変としたことを特徴とする鍼灸鍼セット。
【発明の詳細な説明】
【技術分野】
【０００１】
本発明は、鍼管および鍼灸鍼、鍼灸鍼セットに関し、特に、施術時に分割可能な鍼管、施術時に分割可能な鍼柄を有する鍼灸鍼、およびそれらを備えた鍼灸鍼セットに関する。
【背景技術】
【０００２】
鍼灸の施術において、鍼柄および鍼体を有する鍼灸鍼と該鍼灸鍼を挿入する鍼管とを組み合わせたものが従来から用いられている。
【０００３】
施術を行なう際は、まず、押手の親指と人差し指とで鍼管をはさみ立て、鍼灸鍼を鍼管に挿入して鍼体の方向をある程度固定しながら、鍼体の後端部に設けられた鍼柄を刺手の指で軽くたたいて鍼体の先端部を体内に刺入（弾入）する。
【０００４】
次に、鍼管を取り除き、押手の指で鍼体を固定し、刺手の指で鍼柄をつまみながら、鍼体をさらに刺入する。これにより、鍼灸鍼が所望の深さに置鍼される。
【０００５】
また、特開２００２−２７２８０９号公報（従来例１）において、鍼管の表面に薄い膜を貼り、これが手指により容易にはがれることを特徴とする鍼灸鍼の鍼管が開示されている。
【特許文献１】特開２００２−２７２８０９号公報
【発明の開示】
【発明が解決しようとする課題】
【０００６】
しかしながら、上記のような鍼管および鍼灸鍼においては、以下のような問題があった。
【０００７】
上述した従来の手順で鍼灸鍼の刺入を行なう場合、施術者の指に触れた鍼体が患者の体内に刺入されることになる。このことは、衛生上の観点から好ましくない場合がある。また、近年は、このような衛生上の問題に関する関心も高まっている。
【０００８】
また、従来例１においては、上記のような問題に鑑みて鍼管の表面に薄い膜を貼り付けて、弾入後にその薄い膜を鍼管からはがすことにより、施術者の指と鍼体とが直接触れるのを抑制しているが、この場合も、薄い膜の内表面と鍼体とが触れることになり、衛生面の問題が解決されたといえない場合がある。たとえば薄い膜の内表面に異物が付着している場合、その異物が鍼体に付着する。また、たとえば薄い膜を接着剤を用いて鍼管に貼り付けている場合、薄い膜の内表面に付着した接着剤が鍼体に触れることになる。
【０００９】
本発明は、上記のような問題に鑑みてなされたものであり、本発明の目的は、鍼管または鍼柄を施術時に分割できるようにすることで、施術者の指が鍼体に触れないようにすることが可能な鍼管、鍼灸鍼およびそれらを備えた鍼灸鍼セットを提供することにある。
【課題を解決するための手段】
【００１０】
本発明に係る鍼管は、鍼灸の施術において鍼灸鍼が挿入される鍼管であって、１つの局面では、第１本体部分と、第１本体部分に接続される第２本体部分と、第１と第２本体部分を施術時に長さ方向に分割可能に接続する接続部とを備える。該鍼管は、他の局面では、軸方向長さを変更可能な本体部分を備えたことを特徴とする。
【００１１】
本発明に係る鍼灸鍼は、鍼灸の施術に用いる鍼灸鍼であって、１つの局面では、鍼体と、鍼体の一端に設けられた鍼柄とを備え、鍼柄は、第１本体部分と、該第１本体部分に接続される第２本体部分と、第１と第２本体部分を施術時に長さ方向に分割可能に接続する接続部とを有する。該鍼灸鍼は、他の局面では、鍼柄の軸方向長さを可変としたことを特徴とする。
【００１２】
本発明に係る鍼灸鍼セットは、鍼灸の施術に用いる鍼灸鍼と鍼管とを有する鍼灸鍼セットであって、鍼灸鍼は、鍼体と該鍼体の一端に設けられた鍼柄とを有し、鍼管と鍼柄との少なくとも一方の軸方向長さを可変としたことを特徴とする。
【発明の効果】
【００１３】
本発明によれば、鍼管または鍼柄を施術時に分割可能にすることで、鍼灸の施術者の指が鍼体に触れないようにすることができる。
【発明を実施するための最良の形態】
【００１４】
以下に、本発明に基づく鍼管、鍼灸鍼および鍼灸鍼セットの実施の形態について、図１から図６を用いて説明する。なお、本願明細書において、鍼灸鍼セットとは、１組の鍼管と鍼灸鍼との組み合わせを意味する。
【００１５】
（実施の形態１）
図１は、本発明の実施の形態１に係る鍼管および鍼灸鍼を示した図である。
【００１６】
なお、図１（ａ）から図１（ｂ），（ｃ），（ｄ），（ｅ）の順に、鍼灸の施術の流れに沿って変化する鍼管および鍼灸鍼の態様を示す。
【００１７】
本実施の形態に係る鍼管１は、鍼灸の施術において鍼灸鍼２が挿入される鍼管であって、図１（ａ）に示すように、第１本体部分１Ａと、第１本体部分１Ａに接続される第２本体部分１Ｂと、第１と第２本体部分１Ａ，１Ｂ間に切り込み部１Ｃ（接続部）とを備える。切り込み部１Ｃを形成することにより、第１と第２本体部分１Ａ，１Ｂを、施術時に長さ方向に分断（分割）することができる。換言すると、鍼管１の本体部分の軸方向長さは、施術時において変更可能である。
【００１８】
鍼管１は、典型的には、樹脂により構成される。これにより、後述する分断のステップを用意に行なうことができる。
【００１９】
鍼管１に挿入される鍼灸鍼２は、鍼柄２Ａと鍼体２Ｂとを備える。鍼体２Ｂは、典型的には金属製であり、鍼体２Ｂの後端に取付けられる鍼柄２Ａは、典型的には樹脂製である。
【００２０】
鍼管１の外径／内径の一例としては、たとえば３．５ｍｍ程度／２．５ｍｍ程度の場合が挙げられる。また、鍼管１（第１と第２本体部分１Ａ，１Ｂ）および鍼体２Ｂの軸方向長さの組合わせの一例を表１に示す。
【００２１】
【表１】
2005261810.tif 000003
【００２２】
また、鍼管１の第２本体部分１Ｂの長さは、典型的には２０ｍｍ程度である。これにより、第１と第２本体部分１Ａ，１Ｂの分断後に後述する「置鍼」を行なう際、第２本体部分１Ｂが施術者の刺手の動きを阻害するの抑えることができる。
【００２３】
次に、本実施の形態に係る鍼灸鍼セット（鍼管１および鍼灸鍼２）を用いて行なう鍼灸の施術の手順について説明する。
【００２４】
図１（ｂ）に示すように、鍼管１を第２本体部分１Ｂを下にして患者の皮膚上にセットする。そして、鍼管１内に鍼灸鍼２を挿入する。鍼体２Ｂの先端部が患者の皮膚に達したとき、鍼柄２Ａの一部が鍼管１（第１本体部分１Ａ）から露出している。ここで、鍼管１は、施術者の押手により患者の皮膚上にセットされている。
【００２５】
次に、施術者の刺手（押手の逆側の手）の指で、鍼柄２Ａの後端側（図１（ｂ）中の上側）を軽くたたく。これにより、図１（ｃ）に示すように、鍼体２Ｂの先端部が患者の体内に刺入される。このステップを「弾入」と称する。
【００２６】
鍼管１を患者に押し当てることにより、鍼灸鍼２が刺入される部位において患者の皮膚に一定の張りを与えることができる。これにより、鍼灸鍼２の刺入がしやすくなる。
【００２７】
次に、押手で第２本体部分１Ｂを固定し、刺手で第１本体部分１Ａに力を加え、図１（ｄ）に示すように、鍼管１を切り込み部１Ｃにおいて折り曲げて分断し、第１本体部分１Ａを抜き取る。この際、鍼体２Ｂも折り曲げられるが、その復元力によりもとの形状に戻る。
【００２８】
以上のステップにより、鍼管１が第１と第２本体部分１Ａ，１Ｂに分割される。この状態から、刺手で鍼柄２Ａをつまみ、鍼灸鍼２にひねりを加えながら、図１（ｅ）に示すように、患者の体内にさらに刺入する。ここで、施術者は、鍼柄２Ａを通じて得られる感覚に応じて刺入の深さなどを決定する。このステップを「置鍼」と称する。
【００２９】
この際、施術者の押手は、鍼管１の第２本体部分１Ｂを固定しており、鍼体２Ｂに触れることがない。したがって、患者の体内に刺入される鍼体２Ｂの衛生状態を、従来よりも向上させることができる。
【００３０】
本実施の形態においては、上述したように、鍼管１を施術時に分断することで、使用前の鍼灸鍼セットと使用後の鍼灸鍼セットとを確実に区別することができる。近年は、衛生上の観点から、鍼灸鍼セットを確実にディスポーザブル化（使い捨て化）する要請が高まっており、本実施の形態に係る鍼灸鍼セットは、この要請に応え得るものである。
【００３１】
なお、本実施の形態においては、鍼管１を分断することによりその軸方向長さを施術時に変化させたが、たとえば鍼管１として伸縮性を有する部材を用いることにより、その軸方向長さを可変としてもよい。
【００３２】
（実施の形態２）
図２は、本発明の実施の形態２に係る鍼管および鍼灸鍼を示した図である。
【００３３】
なお、図２（ａ）から図２（ｂ），（ｃ），（ｄ），（ｅ）の順に、鍼灸の施術の流れに沿って変化する鍼管および鍼灸鍼の態様を示す。
【００３４】
本実施の形態に係る鍼管は、実施の形態１に係る鍼管の変形例であって、図２（ａ）に示すように、第１と第２本体部分１Ａ，１Ｂの接続部をねじ部１Ｄにより構成した点で、実施の形態１と異なる。
【００３５】
本実施の形態に係る鍼灸鍼セットを用いる鍼灸の施術についても、実施の形態１と同様の手順で行なわれる。以下に、その手順を説明する。
【００３６】
図２（ｂ）に示すように、患者の皮膚上にセットされた鍼管１内に鍼灸鍼２を挿入する。
【００３７】
次に、鍼柄２Ａの上側を指で軽くたたいて、図２（ｃ）に示すように、鍼体２Ｂの先端部を患者の体内に「弾入」する。
【００３８】
さらに、押手で第２本体部分１Ｂを固定したまま、刺手で第１本体部分１Ａを、図２（ｄ）中の矢印の方向に回転させ、ねじ部１Ｄにおける固定を解除する。その後、第１本体部分１Ａを上方に抜き取る。
【００３９】
以上のステップにより、鍼管１が第１と第２本体部分１Ａ，１Ｂに分割される。この状態から、刺手で鍼柄２Ａをつまみ、鍼灸鍼２にひねりを加えながら、図２（ｅ）に示すように、患者の体内にさらに刺入する。ここで、施術者は、鍼柄２Ａを通じて得られる感覚に応じて「置鍼」する。また、この際、施術者の指が鍼体２Ｂに触れることはない。
【００４０】
本実施の形態においても、実施の形態１と同様に、患者の体内に刺入される鍼体２Ｂの衛生状態を、従来よりも向上させることができる。
【００４１】
なお、本実施の形態において、実施の形態１と同様の事項については、詳細な説明は繰り返さない。
【００４２】
（実施の形態３）
図３は、本発明の実施の形態３に係る鍼管および鍼灸鍼を示した図である。
【００４３】
なお、図３（ａ）から図３（ｂ），（ｃ），（ｄ），（ｅ）の順に、鍼灸の施術の流れに沿って変化する鍼管および鍼灸鍼の態様を示す。
【００４４】
本実施の形態に係る鍼管は、実施の形態１に係る鍼管の変形例であって、図３（ａ）に示すように、第１と第２部分１Ａ，１Ｂの接続部を嵌合部１Ｅにより構成した点で、実施の形態１と異なる。なお、嵌合部１Ｅは、図３に示すように、第１本体部分１Ａの一部を第２本体部分１Ｂ内に受け入れる構造を有する。
【００４５】
本実施の形態に係る鍼灸鍼セットを用いる鍼灸の施術についても、実施の形態１，２と同様の手順で行なわれる。以下に、その手順を説明する。
【００４６】
図３（ｂ）に示すように、患者の皮膚上にセットされた鍼管１内に鍼灸鍼２を挿入する。
【００４７】
次に、鍼柄２Ａの上側を指で軽くたたいて、図３（ｃ）に示すように、鍼体２Ｂの先端部を患者の体内に「弾入」する。
【００４８】
さらに、押手で第２本体部分１Ｂを固定したまま、刺手により第１本体部分１Ａを、図３（ｄ）に示すように、上方に抜き取る。
【００４９】
以上のステップにより、鍼管１が第１と第２本体部分１Ａ，１Ｂに分割される。この状態から、刺手で鍼柄２Ａをつまみ、鍼灸鍼２にひねりを加えながら、図３（ｅ）に示すように、患者の体内にさらに刺入する。ここで、施術者は、鍼柄２Ａを通じて得られる感覚に応じて「置鍼」する。また、この際、施術者の指が鍼体２Ｂに触れることはない。
【００５０】
本実施の形態においても、実施の形態１，２と同様に、患者の体内に刺入される鍼体２Ｂの衛生状態を、従来よりも向上させることができる。
【００５１】
なお、本実施の形態において、実施の形態１，２と同様の事項については、詳細な説明は繰り返さない。
【００５２】
（実施の形態４）
図４は、本発明の実施の形態４に係る鍼管および鍼灸鍼を示した図である。
【００５３】
なお、図４（ａ）から図４（ｂ），（ｃ），（ｄ），（ｅ）の順に、鍼灸の施術の流れに沿って変化する鍼管および鍼灸鍼の態様を示す。
【００５４】
本実施の形態に係る鍼管は、実施の形態３に係る鍼管のさらなる変形例であって、図４（ａ）に示すように、嵌合部１Ｅが、第２本体部分１Ｂの一部を第１本体部分１Ａ内に受け入れる構造を有する点で、実施の形態３と異なる。
【００５５】
なお、その他の事項については、実施の形態３と同様であるので、詳細な説明は繰り返さない。
【００５６】
（実施の形態５）
図５は、本発明の実施の形態５に係る鍼管および鍼灸鍼を示した図である。
【００５７】
なお、図５（ａ）から図５（ｂ），（ｃ），（ｄ），（ｅ）の順に、鍼灸の施術の流れに沿って変化する鍼管および鍼灸鍼の態様を示す。
【００５８】
本実施の形態に係る鍼管は、実施の形態１に係る鍼管の変形例であって、図５（ａ）に示すように、第１と第２部分１Ａ，１Ｂの接続部を溝部１Ｆと突起部１Ｇとにより構成した点で、実施の形態１と異なる。なお、図５において、溝部１Ｆは第１本体部分１Ａに形成され、突起部１Ｇは第２本体部分１Ｂに形成されているが、これらは逆であってもよい。
【００５９】
本実施の形態に係る鍼灸鍼セットを用いる鍼灸の施術についても、実施の形態１〜４と同様の手順で行なわれる。以下に、その手順を説明する。
【００６０】
図５（ｂ）に示すように、患者の皮膚上にセットされた鍼管１内に鍼灸鍼２を挿入する。
【００６１】
次に、鍼柄２Ａの上側を指で軽くたたいて、図５（ｃ）に示すように、鍼体２Ｂの先端部を患者の体内に「弾入」する。
【００６２】
さらに、押手で第２本体部分１Ｂを固定したまま、刺手により第１本体部分１Ａを、図５（ｄ）中の矢印の方向に回転させ、溝部１Ｆと突起部１Ｇとによる固定を解除した上で、第１本体部分１Ａを上方に抜き取る。
【００６３】
以上のステップにより、鍼管１が第１と第２本体部分１Ａ，１Ｂに分割される。この状態から、刺手で鍼柄２Ａをつまみ、鍼灸鍼２にひねりを加えながら、図５（ｅ）に示すように、患者の体内にさらに刺入する。ここで、施術者は、鍼柄２Ａを通じて得られる感覚に応じて「置鍼」する。また、この際、施術者の指が鍼体２Ｂに触れることはない。
【００６４】
なお、図５（ｆ）は、第２本体部分１Ｂの突起部１Ｇを側面から見た状態を示す図である。
【００６５】
本実施の形態においても、実施の形態１〜４と同様に、患者の体内に刺入される鍼体２Ｂの衛生状態を、従来よりも向上させることができる。
【００６６】
なお、本実施の形態において、実施の形態１〜４と同様の事項については、詳細な説明は繰り返さない。
【００６７】
（実施の形態６）
図６は、本発明の実施の形態６に係る鍼管および鍼灸鍼を示した図である。
【００６８】
なお、図６（ａ）から図６（ｂ），（ｃ），（ｄ），（ｅ）の順に、鍼灸の施術の流れに沿って変化する鍼管および鍼灸鍼の態様を示す。
【００６９】
本実施の形態に係る鍼灸鍼２は、鍼灸の施術に用いる鍼灸鍼であって、図６（ａ）に示すように、鍼体２Ｂと、鍼体２Ｂの一端に設けられた鍼柄２Ａとを備え、鍼柄２Ａは、第１本体部分２０Ａと、第１本体部分２０Ａに接続される第２本体部分２０Ｂと、第１と第２本体部分２０Ａ，２０Ｂ間に切り込み部２０Ｃ（接続部）とを備える。切り込み部２０Ｃを形成することにより、第１と第２本体部分２０Ａ，２０Ｂを施術時に長さ方向に分割することができる。換言すると、鍼柄２Ａの軸方向長さは、施術時において変更可能である。
【００７０】
鍼柄２Ａは、典型的には、樹脂により構成される。これにより、後述する分断のステップを用意に行なうことができる。
【００７１】
鍼体２Ｂは、典型的には金属製であり、鍼灸鍼２が挿入される鍼管１は、典型的には樹脂製である。
【００７２】
また、鍼柄２Ａの第２本体部分２０Ｂの軸方向長さは、典型的には２０ｍｍ程度である。
【００７３】
次に、本実施の形態に係る鍼灸鍼セット（鍼管１および鍼灸鍼２）を用いて行なう鍼灸の施術の手順について説明する。
【００７４】
図６（ｂ）に示すように、鍼管１内に鍼灸鍼２を挿入する。鍼体２Ｂの先端部が患者の皮膚に達したとき、鍼柄２Ａの一部が鍼管１内に達する。ここで、鍼管１は、施術者の押手により患者の皮膚上にセットされている。
【００７５】
次に、施術者の刺手により、鍼柄２Ａの後端（図６（ｂ）中の上側）を軽くたたく。これにより、鍼体２Ｂの先端部が患者の体内に「弾入」される。
【００７６】
次に、鍼柄２Ａをつまみながら、図６（ｃ）に示すように、鍼体２Ｂをある程度の深さまで、さらに刺入する。ここで、鍼灸鍼２の方向は鍼管１によって固定される。
【００７７】
次に、図６（ｄ）に示すように、鍼管１を上方に抜き取る。さらに、図６（ｅ）に示すように、鍼柄２Ａを折ることにより分断し、鍼柄２Ａの第１本体部分２０Ａを取り除く。さらに、残存した鍼柄２Ａの第２本体部分２０Ｂをつまみ、鍼灸鍼２にひねりを加えながら、「置鍼」する。上記のように、鍼柄２Ａを分断して短くすることで、「置鍼」が行ないやすくなる。また、鍼管１を抜き取る前に鍼体２Ｂが患者の体内にある程度の深さまで刺入されているので、「置鍼」を行なう際に施術者の指で鍼体２Ｂを固定する必要はない。したがって、施術者の指が鍼体２Ｂに触れることはない。
【００７８】
本実施の形態においても、上述した各実施の形態と同様に、患者の体内に刺入される鍼体２Ｂの衛生状態を、従来よりも向上させることができる。
【００７９】
なお、本実施の形態においては、鍼柄２Ａを分断することにより第１と第２本体部分２０Ａ，２０Ｂに分割したが、第１と第２本体部分２０Ａ，２０Ｂの接続部の構造として、ねじ構造、嵌合構造、溝／突起構造などを採用してもよい。また、たとえば鍼柄２Ａとして伸縮性を有する部材を用いることにより、その軸方向長さを可変としてもよい。
【００８０】
以上、本発明の実施の形態について説明したが、上述した各実施の形態の特徴部分を適宜組み合わせることは、当初から予定されている。また、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００８１】
【図１】本発明の実施の形態１に係る鍼管および鍼灸鍼を示した図であり、（ａ），（ｂ），（ｃ），（ｄ），（ｅ）の順に、鍼灸の施術の流れに沿って変化する鍼管および鍼灸鍼の態様を示した図である。
【図２】本発明の実施の形態２に係る鍼管および鍼灸鍼を示した図であり、（ａ），（ｂ），（ｃ），（ｄ），（ｅ）の順に、鍼灸の施術の流れに沿って変化する鍼管および鍼灸鍼の態様を示した図である。
【図３】本発明の実施の形態３に係る鍼管および鍼灸鍼を示した図であり、（ａ），（ｂ），（ｃ），（ｄ），（ｅ）の順に、鍼灸の施術の流れに沿って変化する鍼管および鍼灸鍼の態様を示した図である。
【図４】本発明の実施の形態４に係る鍼管および鍼灸鍼を示した図であり、（ａ），（ｂ），（ｃ），（ｄ），（ｅ）の順に、鍼灸の施術の流れに沿って変化する鍼管および鍼灸鍼の態様を示した図である。
【図５】本発明の実施の形態５に係る鍼管および鍼灸鍼を示した図であり、（ａ），（ｂ），（ｃ），（ｄ），（ｅ）の順に、鍼灸の施術の流れに沿って変化する鍼管および鍼灸鍼の態様を示し、（ｆ）は、鍼管の第２本体部分の突起部を側面から見た状態を示す図である。
【図６】本発明の実施の形態６に係る鍼管および鍼灸鍼を示した図であり、（ａ），（ｂ），（ｃ），（ｄ），（ｅ）の順に、鍼灸の施術の流れに沿って変化する鍼管および鍼灸鍼の態様を示した図である。
【符号の説明】
【００８２】
１  鍼管、１Ａ  第１本体部分、１Ｂ  第２本体部分、１Ｃ  切り込み部、１Ｄ  ねじ部、１Ｅ  嵌合部、１Ｆ  溝部、１Ｇ  突起部、２  鍼灸鍼、２Ａ  鍼柄、２Ｂ  鍼体、２０Ａ  第１本体部分、２０Ｂ  第２本体部分、２０Ｃ  切り込み部。
【図１】
2005261810.tif 000004
【図２】
2005261810.tif 000005
【図３】
2005261810.tif 000006
【図４】
2005261810.tif 000007
【図５】
2005261810.tif 000008
【図６】
2005261810.tif 000009